【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ワイヤレス通信におけるフレキシブル複信を与えるための方法であって、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと
を備える、方法。
【請求項２】
前記インジケータを受信することが、前記ダウンリンク周波数帯域上で前記セルによって送信された、物理レイヤ制御チャネル中のビットインジケータ、信号のメディアアクセスチャネル（ＭＡＣ）制御要素（ＣＥ）中の、または無線リソース制御（ＲＲＣ）信号中ののうちの少なくとも１つにおいて、前記セルから前記インジケータを受信することを備える、請求項１に記載の方法。
【請求項３】
前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信することをさらに備える、請求項１に記載の方法。
【請求項４】
前記基準ＴＤＤ構成を受信することが、システム情報ブロック（ＳＩＢ）において、または無線リソース制御（ＲＲＣ）シグナリングを介して前記基準ＴＤＤ構成を受信することを備える、請求項３に記載の方法。
【請求項５】
前記複数のダウンリンクサブフレームのうちの少なくとも１つのアップリンク周波数部分上で前記アップリンク周波数帯域において制御データを送信することをさらに備える、請求項１に記載の方法。
【請求項６】
前記複数のダウンリンクサブフレームのうちの少なくとも１つの前記アップリンク周波数部分が、ガード帯域によってダウンリンク周波数部分から分離される、請求項５に記載の方法。
【請求項７】
前記ガード帯域に関係する１つまたは複数のパラメータを前記セルから受信することをさらに備える、請求項６に記載の方法。
【請求項８】
前記セルにチャネル状態情報（ＣＳＩ）フィードバックを送信するための前記複数のアップリンクサブフレームのうちの少なくとも１つを示す構成を前記セルから受信することをさらに備える、請求項１に記載の方法。
【請求項９】
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
をさらに備える、請求項１に記載の方法。
【請求項１０】
非周期タイムラインに従って前記セルにチャネル状態情報（ＣＳＩ）フィードバックを報告することと、
前記インジケータを受信することに少なくとも部分的に基づいて、基準ＴＤＤ構成に基づく異なる非周期タイムラインに従って前記セルに前記ＣＳＩフィードバックを報告することと
をさらに備える、請求項１に記載の方法。
【請求項１１】
前記複数のダウンリンクサブフレームを使用して通信することと、前記複数のアップリンクサブフレームを使用して通信することとの間で切り替えるための切替えガード期間の構成を前記セルから受信することをさらに備える、請求項１に記載の方法。
【請求項１２】
ワイヤレス通信におけるフレキシブル複信を与えるための装置であって、
セルとのアップリンク周波数帯域とダウンリンク周波数帯域とを分離するために、周波数分割複信（ＦＤＤ）を使用して前記セルと通信するための手段と、
前記アップリンク周波数帯域上で時分割複信（ＴＤＤ）を実装するためのインジケータを前記セルから受信するための手段と、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信するための手段と
を備える、装置。
【請求項１３】
前記インジケータを受信するための前記手段が、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信する、請求項１２に記載の装置。
【請求項１４】
請求項３〜１１のいずれか一項に記載の方法を実行するように適応されている処理手段をさらに備える、請求項１２に記載の装置。
【請求項１５】
コンピューティングデバイスのプロセッサ上で実行されると、請求項１〜１１のいずれか一項に記載の方法を実行するための命令を備えるコンピュータプログラム。
【手続補正２】
【補正対象書類名】明細書
【補正対象項目名】００８２
【補正方法】変更
【補正の内容】
【００８２】
[0091]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ワイヤレス通信におけるフレキシブル複信を与えるための方法であって、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと
を備える、方法。
［Ｃ２］
前記インジケータを受信することが、前記ダウンリンク周波数帯域上で前記セルによって送信された、物理レイヤ制御チャネル中のビットインジケータ、信号のメディアアクセスチャネル（ＭＡＣ）制御要素（ＣＥ）中の、または無線リソース制御（ＲＲＣ）信号中ののうちの少なくとも１つにおいて、前記セルから前記インジケータを受信することを備える、Ｃ１に記載の方法。
［Ｃ３］
前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信することをさらに備える、Ｃ１に記載の方法。
［Ｃ４］
前記基準ＴＤＤ構成を受信することが、システム情報ブロック（ＳＩＢ）において、または無線リソース制御（ＲＲＣ）シグナリングを介して前記基準ＴＤＤ構成を受信することを備える、Ｃ３に記載の方法。
［Ｃ５］
前記複数のダウンリンクサブフレームのうちの少なくとも１つのアップリンク周波数部分上で前記アップリンク周波数帯域において制御データを送信することをさらに備える、Ｃ１に記載の方法。
［Ｃ６］
前記複数のダウンリンクサブフレームのうちの少なくとも１つの前記アップリンク周波数部分が、ガード帯域によってダウンリンク周波数部分から分離される、Ｃ５に記載の方法。
［Ｃ７］
前記ガード帯域に関係する１つまたは複数のパラメータを前記セルから受信することをさらに備える、Ｃ６に記載の方法。
［Ｃ８］
前記セルにチャネル状態情報（ＣＳＩ）フィードバックを送信するための前記複数のアップリンクサブフレームのうちの少なくとも１つを示す構成を前記セルから受信することをさらに備える、Ｃ１に記載の方法。
［Ｃ９］
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
をさらに備える、Ｃ１に記載の方法。
［Ｃ１０］
非周期タイムラインに従って前記セルにチャネル状態情報（ＣＳＩ）フィードバックを報告することと、
前記インジケータを受信することに少なくとも部分的に基づいて、基準ＴＤＤ構成に基づく異なる非周期タイムラインに従って前記セルに前記ＣＳＩフィードバックを報告することと
をさらに備える、Ｃ１に記載の方法。
［Ｃ１１］
システム情報ブロック（ＳＩＢ）において、または無線リソース制御（ＲＲＣ）シグナリングを介して前記基準ＴＤＤ構成を受信することをさらに備える、Ｃ１０に記載の方法。
［Ｃ１２］
前記複数のダウンリンクサブフレームを使用して通信することと、前記複数のアップリンクサブフレームを使用して通信することとの間で切り替えるための切替えガード期間の構成を前記セルから受信することをさらに備える、Ｃ１に記載の方法。
［Ｃ１３］
ワイヤレス通信におけるフレキシブル複信を与えるための装置であって、
少なくとも１つのプロセッサと、
前記少なくとも１つのプロセッサと通信可能に結合されたメモリと
を備え、
ここにおいて、前記少なくとも１つのプロセッサが、
セルとのアップリンク周波数帯域とダウンリンク周波数帯域とを分離するために、周波数分割複信（ＦＤＤ）を使用して前記セルと通信することと、
前記アップリンク周波数帯域上で時分割複信（ＴＤＤ）を実装するためのインジケータを前記セルから受信することと、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信することと
を行うように構成された、
装置。
［Ｃ１４］
前記少なくとも１つのプロセッサが、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信するように構成された、Ｃ１３に記載の装置。
［Ｃ１５］
前記少なくとも１つのプロセッサが、前記アップリンク周波数帯域において前記セルに肯定応答（ＡＣＫ）／否定ＡＣＫ（ＮＡＣＫ）を送信するための前記複数のアップリンクサブフレームのうちの少なくとも１つを示す基準ＴＤＤ構成を前記セルから受信するようにさらに構成された、Ｃ１３に記載の装置。
［Ｃ１６］
前記少なくとも１つのプロセッサが、前記複数のダウンリンクサブフレームのうちの少なくとも１つのアップリンク周波数部分上で前記アップリンク周波数帯域において制御データを送信するようにさらに構成された、Ｃ１３に記載の装置。
［Ｃ１７］
前記少なくとも１つのプロセッサが、前記セルにチャネル状態情報（ＣＳＩ）フィードバックを送信するための前記複数のアップリンクサブフレームのうちの少なくとも１つを示す構成を前記セルから受信するようにさらに構成された、Ｃ１３に記載の装置。
［Ｃ１８］
前記少なくとも１つのプロセッサは、
前記セルにチャネル状態情報（ＣＳＩ）フィードバックを送信するための前記アップリンク周波数帯域における複数のサブフレームのうちの少なくとも１つを示す構成を前記セルから受信することと、
前記複数のサブフレームのうちの前記少なくとも１つが前記アップリンク周波数帯域における前記複数のダウンリンクサブフレームのうちの少なくとも１つである場合、前記ＣＳＩフィードバックを送信することを控えることと
を行うようにさらに構成された、Ｃ１３に記載の装置。
［Ｃ１９］
ワイヤレス通信におけるフレキシブル複信を与えるための装置であって、
セルとのアップリンク周波数帯域とダウンリンク周波数帯域とを分離するために、周波数分割複信（ＦＤＤ）を使用して前記セルと通信するための手段と、
前記アップリンク周波数帯域上で時分割複信（ＴＤＤ）を実装するためのインジケータを前記セルから受信するための手段と、
前記インジケータを受信することに少なくとも部分的に基づいて、前記アップリンク周波数帯域を、前記セルからダウンリンク通信を受信するための複数のダウンリンクサブフレームと、前記セルにアップリンク通信を送信するための複数のアップリンクサブフレームとに分離するために、ＴＤＤを使用して前記セルと通信するための手段と
を備える、装置。
［Ｃ２０］
前記インジケータを受信するための前記手段が、前記ダウンリンク周波数帯域上で前記セルによって送信された、物理レイヤ制御チャネル中のビットインジケータ、信号のメディアアクセスチャネル（ＭＡＣ）制御要素（ＣＥ）、または無線リソース制御（ＲＲＣ）信号中ののうちの少なくとも１つにおいて、前記セルから前記インジケータを受信する、Ｃ１９に記載の装置。